(57)【要約】      （修正有）【課題】各関節部位に装着可能であり、要求される伸縮性、通気性、布厚、布幅の寸法等を容易に調整可能なサポーター用布地及びサポーター用布裁断丸編ニット生地の提供。【解決手段】サポーター用布地Ａ，Ｂ，Ｃは、合成繊維と熱可塑性弾性繊維とからなる複合糸によって織成または編成された布地であって、該複合糸の熱可塑性弾性繊維が熱処理により熱融着している構成にしてある。また、前記構成において、複合糸と天然繊維糸とをリバーシブル編成して布地の一方の面に天然繊維糸が現れ、他方の面に複合糸が主として現れるように構成されているものである。そして、サポーター用布裁断丸編ニット生地Ｓは、前記した各構成のサポーター用布地Ａ，Ｂ，Ｃを複数裁断し得る所定の大きさに形成されたものである。【選択図】図１
0003139235.tif 000002
【実用新案登録請求の範囲】
【請求項１】
合成繊維と熱可塑性弾性繊維とからなる複合糸によって織成または編成された布地であって、該複合糸の熱可塑性弾性繊維が熱処理により熱融着しているサポーター用布地。
【請求項２】
複合糸と天然繊維糸とをリバーシブル編成して布地の一方の面に天然繊維糸が現れ、他方の面に複合糸が主として現れるように構成されている請求項１に記載のサポーター用布地。
【請求項３】
請求項１または請求項２に記載のサポーター用布地を複数裁断し得る所定の大きさに形成されたサポーター用布裁断丸編ニット生地。
【考案の詳細な説明】
【技術分野】
【０００１】
本考案は、サポーター用布裁断丸編ニット生地に関するものである。
【背景技術】
【０００２】
従来、膝、肘、手首、足首などの関節の運動障害は、打ち身、捻挫、関節炎、半月板損傷、リウマチなどが原因となることが多いが、これらの障害がある関節に偏った負荷がかかると、患部に痛みが加わって多大の苦痛を与える。このような場合、関節部位を関節用サポーターによって圧迫、拘束することで関節の動揺を抑制し、痛みの発生を緩和する方法が採られている。このような目的で関節部を固定するための関節用サポーターとして、ゴム糸を編み込んだ丸編ニット編布で形成され、膝頭部分が露出する開口部を設けた膝関節用サポーターがある他（下記特許文献１参照）、従来から種々の構造のものが提案されている。
【０００３】
【特許文献１】特開平７−１４８１９９号公報
【考案の開示】
【考案が解決しようとする課題】
【０００４】
しかしながら、上記したサポーターは膝、肘、手首、足首等各部位専用として製造され、例えば、膝用サポーターを手首に装着するといったことは寸法の点から不可能である。また、このような各部位専用のサポーターを使用するに際して、膝、肘、手首、足首等のそれぞれの太さは各個人固有のものであり、更に、該関節の損傷の程度に応じて要求されるサポーターの伸縮性、通気性、布厚、布幅の寸法等も異なってくるが、これらに対応可能なサポーターは提供されていないのが現状である。
【０００５】
本考案は、上記した従来の問題点に鑑みてなされたものであって、各関節部位に装着可能であり、要求される伸縮性、通気性、布厚、布幅の寸法等を容易に調整可能なサポーター用布地及びサポーター用布裁断丸編ニット生地の提供を目的とする。
【課題を解決するための手段】
【０００６】
上記目的を達成するために、本考案に係るサポーター用布地は、合成繊維と熱可塑性弾性繊維とからなる複合糸によって織成または編成された布地であって、該複合糸の熱可塑性弾性繊維が熱処理により熱融着している構成にしてある。
【０００７】
また、前記構成において、複合糸と天然繊維糸とをリバーシブル編成して布地の一方の面に天然繊維糸が現れ、他方の面に複合糸が主として現れるように構成されているものである。
【０００８】
そして、本考案に係るサポーター用布裁断丸編ニット生地は、前記した各構成のサポーター用布地を複数裁断し得る所定の大きさに形成されたものである。
【考案の効果】
【０００９】
本考案に係るサポーター用布地によれば、合成繊維と熱可塑性弾性繊維とからなる複合糸によって織成または編成された布地であって、該複合糸の熱可塑性弾性繊維が熱処理により熱融着している構成にしてあるので、繊維同士を熱融着させることで、裁断部分を切りっぱなしにしても、ほつれ難くなるため、裁断部分を始末する手間を省くことができる。また、伸長性・伸長回復性が高く、熱融着により組織が固定化しても優れた伸長性、伸長回復性を保持することができるものである。
【００１０】
また、複合糸と天然繊維糸とをリバーシブル編成して布地の一方の面に天然繊維糸が現れ、他方の面に複合糸が主として現れるように構成されている場合には、伸長性が高い上に、柔らかく、着心地や肌触りにも優れるものである。
【００１１】
そして、本考案に係るサポーター用布裁断丸編ニット生地は、サポーター用布地を複数裁断し得る所定の大きさに形成されたので、各関節部位に装着可能であり、要求される伸縮性、寸法、通気性等を容易に調整可能なサポーター用布地を複数裁断することができる。
【考案を実施するための最良の形態】
【００１２】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るサポーター用布裁断丸編ニット生地の斜視図であって、破線で示すＡ，Ｂ，Ｃはサポーター用布裁断丸編ニット生地Ｓからサポーター用布地を裁断する場合の参考例である。
【００１３】
そして、この実施形態に係るサポーター用布地Ａ，Ｂ，Ｃは、合成繊維と熱可塑性弾性繊維とからなる複合糸によって織成または編成された布地であって、該複合糸の熱可塑性弾性繊維が熱処理により熱融着しているものである。そして、このサポーター用布地Ａ，Ｂ，Ｃは、複数のパーツを裁断し得る所定の大きさに形成されたサポーター用布裁断丸編ニット生地Ｓを所望する形状、大きさに裁断することで得られる。
【００１４】
複合糸を構成する合成繊維としては、ナイロン繊維、ポリエステル繊維が例示できる。
【００１５】
また、熱可塑性弾性繊維としては、一般に知られている熱可塑性弾性繊維が使用できるが、代表的にはポリウレタン弾性繊維が使用できる。ポリウレタン弾性繊維は、乾式紡糸法、溶融紡糸法、湿式紡糸法の何れも使用できるが、熱融着性に優れ、かつ耐熱強力保持率に優れるものが好ましい。尚、熱可塑性弾性繊維は市販されているものを用いてもよく、例えば、日清紡績（株）製ポリウレタン弾性繊維７８デシテックス、モビロンＲタイプ糸などを用いてもよい。
【００１６】
このような合成繊維と熱可塑性弾性繊維とからなる複合糸としては、熱可塑性弾性繊維と合成繊維とのシングルカバリング糸等が挙げられる。
【００１７】
このような複合糸による布地は、織成または編成のいずれの方法で製造してもよいが、伸縮性及び柔軟性の点から編成により製造することが好ましい。そして、サポーター用布裁断丸編ニット生地を編成により製造する場合の編機については、編地を作成するのに用いられる通常の編機を使用することができ、少なくとも前後一対の針床を備えた横編機により編地を編む方法であっても、丸編機により編地を編んだ後で整理して布地とする方法であってもよく、常法に従って編地を作成することができる。
【００１８】
編成方法は特に限定されないが、製造が容易な２層構造の編立てであるリバーシブル編成が好ましい。このような複数層構造の編み立てとすることで、布地の一方の面に天然繊維糸が現れ、他方の面に複合糸が主として現れるように構成することができる。これにより、皮膚に触れる一方の面を天然繊維糸が現れるようにし、皮膚に触れない他方の面に複合糸が主として現れるようにすることが可能となり、従って合成繊維による肌荒れ等を防止できる。
【００１９】
２層構造の編地の編成に用いられる天然繊維糸としては特に制限は無く、例えば、木綿、麻、羊毛、絹等の純天然繊維の他、レーヨン、キュプラ、ポリノジック等の再生繊維、アセテート等の半再生繊維など任意の糸の使用が可能である。
【００２０】
丸編機によってサポーター用布裁断丸編ニット生地を編成する際の編成方法をより具体的に例示すると、図２に示される編成組織を挙げることができる。図中、１は複合糸、２は天然繊維糸を示し、３はダイヤル針、４はシリンダー針を示す。このように２本の複合糸の編地に天然繊維糸１本を編み込み、染色加工やプレセット、ファイナルセットの際の熱処理によって熱可塑性弾性繊維が溶融し、複合糸のポリウレタン弾性繊維同士、合成繊維同士やポリウレタン弾性繊維と合成繊維の交差部分において繊維同士が融着し、該複合糸または天然繊維糸の糸条が固定されることによりほつれ難くなる。更に、変形、目ずれ、わらい、ラン、デンセン、カールやスリップインの起こり難い編地を得ることが可能となる。
【００２１】
熱処理条件として、乾熱セットと湿熱セットのいずれを採用してもよく、セット以外の方法により熱処理を行ってもよい。処理温度は９０〜１００℃が好ましく、時間は２０〜３０分以上が好ましい。
【００２２】
サポーター用布裁断丸編ニット生地Ｓからサポーター用布地Ａ，Ｂ，Ｃを裁断する際は、膝、肘、手首、足首等各部位に必要な長さ及び幅に自由に裁断して使用する。これにより、各個人固有のものである膝、肘、手首、足首等のそれぞれの太さに応じて所望する長さ、幅のサポーターを得ることができる。また、サポーター用布地は所定の大きさに切断した後、患部を巻回して装着するので、膝用サポーターを手首に装着するといった場合にも、膝に巻回していたサポーター用布地Ａ，Ｂを手首に巻回することができ、寸法に左右されず、自在に装着可能である。
【００２３】
更に、裁断を行ったサポーター用布地は該関節の損傷の程度に応じて強固な固定を要する場合には堅く巻回し、比較的軽症である場合や長期的に使用する場合などには緩めに巻回するなど装着者自身が自由に調整を行って使用する。そして、サポーター用布地Ａ，Ｂの巻き終わり端部は粘着テープ、爪状金属部材を伴う止具や縫製により固着した布製爪状止部材等により固定する。更に巻回したサポーターと素肌との間に挟込んでもよい。これにより、止具が不要となる。
【００２４】
また、布地が編地の場合には所定の径を有する筒状編地を図１に破線で示すＣのようにウェール方向に平行に裁断し、筒状サポーターとしてそのまま使用することも可能であり、これにより、止具が不要となる。更に、図１において破線で示すＢのようにウェール方向または、Ａのようにコース方向に長尺となるよう裁断して使用してもよい。
【００２５】
このようにサポーター用布地Ａ，Ｂ，Ｃは、伸長性・伸長回復性が高く、熱融着により組織が固定化しても優れた伸長性、伸長回復性を保持することができるものである。また、裏糸として天然繊維糸を使用しているので、伸長性が高い上に、柔らかく、着心地や肌触りにも優れるものである。更に、繊維同士を熱融着させることで、裁断部分を切りっぱなしにしても、ほつれ等が生じることがないため、裁断部分を始末する手間を省くことができる。
【図面の簡単な説明】
【００２６】
【図１】本考案の一実施形態に係るサポーター用布裁断丸編ニット生地の斜視図である。
【図２】前記サポーター用布裁断丸編ニット生地の編成方法を示す図である。
【符号の説明】
【００２７】
１  複合糸
２  天然繊維糸
Ａ，Ｂ，Ｃ  サポーター用布地
Ｓ  サポーター用布裁断丸編ニット生地
【図１】
0003139235.tif 000003
【図２】
0003139235.tif 000004